(57)【要約】【課題】  不正を防止して確実な勤怠管理を行う。【解決手段】  作業者の操作に基づき少なくとも操作時刻情報を含むコード９を作成するプログラムを備えると共に、前記コード９を表示部１０に表示出力可能な情報処理端末３と、前記出力されたコード９を入力され又は読み取って前記操作時刻情報を送信可能な携帯端末５と、前記送信された操作時刻情報を蓄積する蓄積手段７とを備えたことを特徴とする。従って、作業者の操作によって情報処理端末３で操作時刻情報を含むコード９を作成、出力し、このコード９を携帯端末５によって読み取り送信することで、前記操作時刻情報を蓄積手段７に蓄積して勤怠管理を行うことができる。【選択図】      図１
2006338295.tif 000002
【特許請求の範囲】
【請求項１】
作業者の操作に基づき少なくとも操作時刻情報を含むコードを作成するプログ
ラムを備えると共に、前記コードを表示部に表示出力又は近距離無線通信によっ
て出力する情報処理端末と、
前記出力されたコードを読み取って前記操作時刻情報を送信可能な携帯端末と
、
前記送信された操作時刻情報を蓄積する蓄積手段とを備えた
ことを特徴とする作業者管理システム。
【請求項２】
作業者の操作に基づき少なくとも操作時刻情報を含むコードを取り込み、該コ
ードを表示部に表示出力又は近距離無線通信によって出力可能な情報処理端末と
、前記表示出力されたコードを読み取って前記操作時刻情報を送信可能な携帯端
末と、前記送信された操作時刻情報を蓄積する蓄積手段とを備えた作業者管理シ
ステムであって、
前記コードを作成すると共に該コードを前記操作により前記情報処理端末に対
して出力可能とするプログラムを有したコード作成手段を備えた
ことを特徴とする作業者管理システム。
【請求項３】
請求項１又は２記載の作業者管理システムであって、
前記コードは、該コードを出力した情報処理端末を特定する特定情報を含んで
いる
ことを特徴とする作業者管理システム。
【請求項４】
請求項１〜３のいずれかに記載の作業者管理システムであって、
前記携帯端末は、前記コードの読み取りによって前記操作時刻情報を含むＵＲ
Ｌを表示し、
該ＵＲＬに基づくＷｅｂサイトにアクセスすることによって前記操作時刻情報
を送信すると共に作業用のアプリケーションを利用可能とする
ことを特徴とする作業者管理システム。
【発明の詳細な説明】
【技術分野】
【０００１】
本発明は、作業者の勤怠管理を行うための作業者管理システムに関する。
【背景技術】
【０００２】
従来の作業者管理システムとしては、例えばバーコードと該バーコードを読み
取り可能な携帯電話機とを用いたものがある。このシステムでは、作業者の派遣
先等である現地に、予めバーコードが付されたカードを備え付けておく。そして
、作業者は、現地到着時等に前記カードのバーコードを携帯電話機で読み取り送
信する。送信されたバーコードの情報は勤怠管理用のサーバーで受信され、サー
バーでは受信したバーコードの情報による現地の特定とバーコードの情報を受信
した時刻とで作業者の勤怠管理を行うことができる。
【０００３】
しかしながら、上記システムでは、例えば複写等により複製したバーコードを
用いることで、現地へ到着していない作業者等に対して不正な勤怠管理が行われ
るおそれがあった。
【０００４】
【特許文献１】特開２００２−２８８４０２号
【発明の開示】
【発明が解決しようとする課題】
【０００５】
本発明が解決しようとする課題は、不正な勤怠管理を防止することができない
点にある。
【課題を解決するための手段】
【０００６】
本発明は、不正な勤怠管理を防止するために、作業者の操作に基づき少なくと
も操作時刻情報を含むコードを作成するプログラムを備えると共に、前記コード
を表示部に表示出力又は近距離無線通信によって出力する情報処理端末と、前記
表示出力されたコードを読み取って前記操作時刻情報を送信可能な携帯端末と、
前記送信された操作時刻情報を蓄積する蓄積手段とを備えたことを最も主な特徴
とする。
【発明の効果】
【０００７】
本発明によれば、情報処理端末が、作業者に操作されることによって操作時刻
情報を含むコードを作成、出力し、このコードを携帯端末によって読み取り送信
することで、前記操作時刻情報を蓄積手段に蓄積して勤怠管理を行うことができ
る。
【０００８】
従って、コードが複製されて利用されるような不正を防止ことができ、且つ作
業時刻を特定して確実な勤怠管理を行わせることができる。
【発明を実施するための最良の形態】
【０００９】
不正な勤怠管理を防止するという目的を、作業者の作業管理を可能としながら
実現した。
【実施例１】
【００１０】
図１は、本発明の実施例１に係る作業者管理システムの概念図である。
【００１１】
本実施例の作業者管理システム１は、例えばフランチャイズチェーン等の各店
舗の状況を調査、監視等するスーパーバイザーの勤怠管理に適用したものである
。前記作業者管理システム１は、コードを作成する情報処理端末としての作成用
パソコン３と、携帯端末としての携帯電話機５と、蓄積手段としてのサーバー７
とを備えている。なお、図１においては１つの店舗のみを示しているが、実際は
複数の店舗を備えている。
【００１２】
前記作成用パソコン３は、各店舗に設置されている。各店舗の作成用パソコン
３は、それぞれ独自の特定情報（端末ＩＤ）を備えている。該特定情報は、作成
用パソコン３を他店舗の作成用パソコンと識別し特定可能とするものである。従
って、特定情報によって、店舗を間接的に特定することができる。
【００１３】
前記作成用パソコン３は、例えばＱＲコード等の２次元バーコード９を作成す
るプログラムを備えていると共に、該２次元バーコード９を表示部であるディス
プレイ１１に出力し表示可能となっている。
【００１４】
前記プログラムは、そのキーボードやマウス等の操作に応じて、該操作が行わ
れた時刻の操作時刻情報が暗号化且つ符号化されたコードとしての２次元バーコ
ード９を作成することができる。２次元バーコードには、前記操作時刻情報の他
、特定情報及び日付情報等も暗号化、符号化されている。ただし、前記特定情報
及び日付情報は省略することも可能である。
【００１５】
前記携帯電話機５は、作業者としてのスーパーバイザーが所持しているもので
ある。この携帯電話機５は、スーパーバイザーの個人認証が可能な登録者情報を
備えている。前記登録者情報としては、例えば、ＳＩＭカードや携帯電話機５の
内蔵メモリに記憶された電話番号や利用者ＩＤ等がある。前記携帯電話機５は、
インターネット接続可能となっており、特定のＷｅｂサイトにアクセスする際に
、前記登録者情報によって個人認証が行われるようになっている。
【００１６】
前記携帯電話機５は、カメラ機能を有しており、前記２次元バーコード９を撮
像することによって読み取り可能となっている。前記携帯電話機５は、読み取っ
た２次元バーコード９に応じたＵＲＬ１２を作成し、表示部１０に出力し表示可
能となっている。前記ＵＲＬ１２には、前記操作時刻情報及び特定情報等が暗号
化され且つ符号化されている。すなわち、ＵＲＬ１２は、Ｗｅｂサイトへアクセ
ス可能とする「？」マークよりも前のアクセス部１６と操作時刻情報が暗号化さ
れた「？」マーク以降の暗号部１８とからなっている。本実施例においては、暗
号部１８がＵＲＬ１２の「？」マーク以降である下７桁によって構成され、残り
がアクセス部１６となっている。
【００１７】
そして、携帯電話機５では、表示したＵＲＬ１２のアクセス部１６に基づくＷ
ｅｂサイトへのアクセスによって、前記操作時刻情報を送信すると共に、作業用
のアプリケーションを利用可能となっている。また、携帯電話機５は、前記アプ
リケーションの利用結果の利用結果情報も送信可能となっている。
【００１８】
前記サーバー７は、前記送信された操作時刻情報及びアプリケーションの利用
結果を受信し蓄積する。前記サーバー７は、例えばフランチャイズチェーンの本
社等に設置された管理用パソコン１３に対し前記操作時刻情報及び利用結果情報
を送信可能となっている。前記管理用パソコン１３では、送信された操作時刻情
報等を表示し確認することができる。
【００１９】
図２は、作業者管理システム１の動作を示すフローチャートである。
【００２０】
フランチャイズチェーン等では、スーパーバイザーが、各店舗に訪れて、店舗
状況の調査、監視等の作業を行っている。
【００２１】
作業を行う際には、まず、ステップＳ１において、２次元バーコード９の作成
及び出力を行う。すなわち、図１のように、作成用パソコン３のディスプレイ１
１にメニュー画面１５を表示させる。このメニュー画面１５において、作業内容
に応じた項目をマウスやキーボード等の操作によって選択する。本実施例では、
スーパーバイザーチェック（ＳＶチェック）の項目を選択する。ただし、他の項
目を選択することも可能であり、この場合、店舗における各種管理を行うことが
できる。
【００２２】
前記選択によって、前記操作時刻情報が暗号化及び符号化された２次元バーコ
ード９がプログラムによって自動的に作成され出力される。出力された２次元バ
ーコード９は、作成用パソコン３のディスプレイ１１に２次元バーコード画面１
６として表示される。この２次元バーコード画面１６では、２次元バーコード９
の表示と共にその読み取りを促す表示が行われる。
【００２３】
次いで、ステップＳ２において、表示された２次元バーコード９の読み取りを
行う。すなわち、携帯電話機５によって、前記２次元バーコード９を撮像し読み
取る。２次元バーコード９を読み取ると、該２次元バーコード９に応じて前記操
作時刻情報が暗号化及び符号化されたＵＲＬ１２が作成され出力される。
【００２４】
出力されたＵＲＬ１２は、ＵＲＬ画面１４として前記携帯電話機５の表示部１
０に表示される。このＵＲＬ画面１４では、前記ＵＲＬ１２と共に、操作時刻情
報に基づく時刻、作成用パソコン３の特定情報に基づく店舗名等の表示も行われ
る。これらの時刻、店舗情報を確認しステップ３に移行する。
【００２５】
ステップＳ３では、表示されたＵＲＬ１２に基づくＷｅｂサイトへのアクセス
を行う。すなわち、携帯電話機５の操作によって前記ＵＲＬ１２を選択し実行す
る。これにより、インターネット接続が開始され、ステップＳ４に移行する。
【００２６】
ステップＳ４では、スーパーバイザーの個人認証が行われる。すなわち、携帯
電話機５の登録者情報によって個人認証が行われる。この個人認証が完了すると
、インターネット接続が完了してステップＳ５に移行する。この個人認証によっ
て、作業を行うスーパーバイザーを特定することができる。一方、個人認証が完
了しない場合は、ステップＳ８に移行し操作が終了することになる。
【００２７】
ステップＳ５では、前記操作時刻情報の記録と共に作業用のアプリケーション
の起動が行われる。すなわち、前記ＵＲＬ１２の暗号部１８として暗号化及び符
号化された操作時刻情報が、ＵＲＬ１２の選択、実行に基づいて送信される。前
記送信された操作時刻情報は、前記個人認証されたスーパーバイザーの情報とし
てサーバー７に記録、蓄積される。すなわち、サーバー７には、作業を行うスー
パーバイザーと関連付けて作成用パソコン３の特定情報を含む操作時刻情報が蓄
積される。
【００２８】
一方、前記送信と同時に、前記ＵＲＬ１２に対応したＷｅｂサイトへのアクセ
スが行われる。このアクセスによって、作業用のアプリケーションがＷｅｂ上で
起動されると共に、携帯電話機５の表示部１０にアプリケーション画面１７とし
て表示され、ステップＳ６に移行する。
【００２９】
ステップＳ６では、Ｗｅｂ上で起動されたアプリケーションによる処理をＨＴ
ＭＬで行う。すなわち、アプリケーション画面１７上で店舗状況の調査、監視等
の店舗チェックを行う。この店舗チェックは、例えば、アプリケーション画面１
７上に店舗状況を表す事項が質問形式で表示され、これに対し順次ＹＥＳ／ＮＯ
を選択することによって行われる。この店舗チェック結果は、例えば、前記ＹＥ
ＳやＮＯの個数等に応じた店舗の点数として表される。ただし、店舗チェックは
、スーパーバイザーが予め定められた基準に基づいて判断し、その判断結果とし
ての店舗の点数等を入力するようにしても良い。
【００３０】
前記店舗チェックが終了すると、ステップＳ７へ移行する。
【００３１】
ステップＳ７では、アプリケーションの終了が行われる。例えば、アプリケー
ション画面１７上に終了ボタン等が表示されて、この終了ボタンの選択、実行す
ることによってアプリケーションが終了する。ただし、ステップＳ６の店舗チェ
ックの終了によって、自動的にアプリケーションを終了することも可能である。
【００３２】
そして、前記アプリケーションの終了に基づき、アプリケーションの利用結果
としての店舗チェック結果がサーバー７に反映されることになる。すなわち、チ
ェック結果は、前記操作時刻情報と同様に、サーバー７に蓄積される。
【００３３】
従って、サーバー７には、作成用パソコン３の特定情報を含む操作時刻情報に
加えて、作業内容及び店舗状況をも前記スーパーバイザーと関連付けて蓄積する
ことができる。
【００３４】
このため、サーバー７側では、前記蓄積した情報を管理用パソコン１３に管理
画面１９として表示することによって、誰が、何時、何処で、どのような作業を
したのかを確認し管理することができると共に、店舗状況も確認し管理すること
ができる。このため、本実施例では、作業者の勤怠管理と店舗管理とを同時に行
わせることができる。なお、前記管理画面１９では、スーパーバイザーの氏名、
作業時刻、店舗、店舗の点数等が表示される。
【００３５】
以上説明したように、本実施例の作業者管理システム１では、店舗に設置され
た作成用パソコン３をスーパーバイザーが操作して、その操作時刻情報を含む２
次元バーコード９を作成、出力し、前記２次元バーコード９の読み取りに基づい
て前記操作時刻情報を送信しサーバー７に蓄積し管理する。
【００３６】
従って、作業者管理システム１では、店舗に訪れない限り２次元バーコード９
を作成することができない。しかも、２次元バーコード９には、操作時刻情報が
含まれているので、例え複製しても後日使用することができなくなる。このため
、作業者管理システム１では、作業開始時刻を確実に特定することができ、不正
を防止して確実に勤怠管理を行うことができる。
【００３７】
前記操作時刻情報には作成用パソコン３を特定する特定情報も含まれているた
め、作業開始時刻に加え、作業場所を確実に特定することができ、より確実に勤
怠管理を行うことができる。
【００３８】
前記２次元バーコード９の作成は、作成用パソコン３のプログラムによって、
ディスプレイ１１上での項目選択により自動的に行われ、作成された２次元バー
コード９を前記ディスプレイ１１上に出力、表示するため、前記２次元バーコー
ド９を容易に且つ確実に作成、出力することができ、より容易に且つ確実に勤怠
管理を行わせることができる。しかも、プログラムの処理を通じて２次元バーコ
ード９を自動的に作成出力するため、不正を確実に防止することができる。
【００３９】
前記操作時刻情報を送信する際には、登録情報に基づく個人認証を行い、前記
操作時刻情報をスーパーバイザーと関連付けてサーバー７に蓄積するため、作業
したスーパーバイザーを確実に特定することができ、より確実に勤怠管理を行う
ことができる。
【００４０】
前記作業者管理システム１では、２次元バーコード９の読み込みによって作成
、出力されたＵＲＬの実行によって、前記操作時刻情報を送信すると共に、作業
用のアプリケーションを利用可能とするため、勤怠管理と同時に作業用のアプリ
ケーションの利用をも行わせることができ、スーパーバイザーの作業効率を向上
することができる。しかも、アプリケーションの利用結果は、スーパーバイザー
と関連づけてサーバー７に蓄積されるため、スーパーバイザーの作業内容を確実
に把握することができると共に、店舗管理をも確実に行わせることができる。
【実施例２】
【００４１】
図３は、本発明の実施例２に係る作業者管理システムの概念図である。なお、
上記実施例１と対応する構成部分には、同符号又は同符号にＡを付して説明する
。
【００４２】
本実施例の作業者管理システム１Ａは、上記実施例１の作成用パソコン３に代
えて情報処理端末として店舗側の携帯電話機２１を備え、且つ蓄積手段としての
サーバー７Ａをコード作成手段としても機能させ、サーバー７Ａ側で２次元バー
コード９を作成するようにしたものである。なお、情報処理端末としては、パソ
コン等を用いることも可能である。
【００４３】
前記携帯電話機２１は、例えば各店舗の管理者が所持しているものである。携
帯電話機２１は、スーパーバイザーの携帯電話機５とほぼ同様に構成され、独自
の特定情報として管理者の個人認証が可能な登録者情報を備えると共に、インタ
ーネット接続可能となっている。この携帯電話機２１は、２次元バーコード９を
取り込んで表示部２３に表示出力可能となっている。
【００４４】
前記サーバー７Ａは、上記実施例１のサーバー７と同様の機能を有しているの
に加えて、２次元バーコード９を作成し出力可能とするプログラムを備えている
。すなわち、サーバー７Ａは、インターネット接続を介して、前記携帯電話機２
１によるアクセスが行われると、そのアクセス時刻情報（操作時刻情報）が暗号
化且つ符号化された２次元バーコード９を作成し携帯電話機２１側へ出力する。
なお、アクセス時刻情報には、上記実施例１同様、特定情報の他、日付情報等も
含まれている。
【００４５】
図４は、作業者管理システム１Ａの動作を示し、図２に対応するフローチャー
トである。なお、図２と対応する構成部分には、同符号を付して説明する。
【００４６】
本実施例では、まず、図４のように、ステップＳ９において、２次元バーコー
ド９の作成要求を行う。すなわち、管理者が、携帯電話機２１によってサーバー
７Ａへアクセスする。
【００４７】
前記サーバー７Ａへのアクセスは、図３のように、管理者が携帯電話機２１を
操作してインターネット接続することによって行われる。インターネット接続が
開始されるとステップＳ１０へ移行し、携帯電話機２１の登録者情報によって管
理者の個人認証が行われる。この個人認証の完了により、インターネット接続が
完了すると共に作業が行われる店舗が特定される。一方、個人認証が完了しない
場合は、ステップＳ８に移行し操作が終了することになる。
【００４８】
次いで、ステップＳ１１において、２次元バーコード９の作成及び出力が実行
される。すなわち、サーバー７Ａは、前記携帯電話機２１によるアクセスに基づ
き、前記プログラムによって、アクセス時刻情報が暗号化及び符号化された２次
元バーコード９を自動的に作成する。作成された２次元バーコード９は、ステッ
プＳ１２において、サーバー７Ａ側から携帯電話機２１側へ自動的に出力される
ことになる。出力された２次元バーコード９は、ステップＳ１３において、携帯
電話機２１内に取り込まれ、図３のように、表示部２３上に２次元バーコード画
面１６として表示出力される。この２次元バーコード画面１６では、２次元バー
コード９の表示と共にその読み取りを促す表示が行われる。
【００４９】
次いで、ステップＳ１４に移行し、表示された２次元バーコード９の読み取り
を行う。すなわち、スーパーバイザーが、携帯電話機５によって前記携帯電話機
２１に表示された２次元バーコード９を撮像する。
【００５０】
このように２次元バーコード９を読み取った後は、上記実施例１と同様に、Ｕ
ＲＬ１２がＵＲＬ画面１４として携帯電話機５の表示部２３に表示され、ステッ
プＳ３からＳ８まで順次移行して処理が進められる。
【００５１】
以上説明したように、本実施例の作業者管理システム１Ａでは、上記実施例１
と同様の作用効果を奏することができるのに加えて、２次元バーコード９をサー
バー７Ａ側で作成し、該２次元バーコード９を店舗側の携帯電話機２１で取り込
んで表示出力することができる。
【００５２】
すなわち、各店舗側の携帯電話機２１に対する２次元バーコード９の作成及び
出力をサーバー７Ａ側で一括して行うことができる。このため、サーバー７Ａの
２次元バーコード９の作成及び出力用のプログラムも、サーバー７Ａ側で一括し
て変更や更新を行うことができるため、２次元バーコード９に暗号化及び符号化
される情報やその埋め込み方法を変更する等のメンテナンスを容易に行わせるこ
とが可能となる。
【００５３】
しかも、店舗側の情報処理端末としては、２次元バーコード９を取り込んで表
示出力することができれば良く、携帯電話機２１用いることができる。
【００５４】
従って、作業者管理システム１Ａでは、各店舗側に特別な機材等を設置する必
要がなく、容易且つ安価に導入させることができる。
【００５５】
また、本実施例の作業者管理システム１Ａでは、店舗に限らず、例えば、建設
現場やイベント会場等での勤怠管理も容易に行わせることが可能となる。
【００５６】
以上、本発明の実施例について説明したが、本発明はこれに限定されるもので
はなく、構成の要素に付随した各種の変更が可能である。例えば、上記実施例で
は、コードとして２次元バーコードを用いていたが、操作時刻情報が暗号化され
た数値等を用いることも可能である。この場合、撮像によるコードの読み込みに
代えて、例えば、ブルートゥース等のように近距離無線通信によってコードを入
力するように構成することも可能である。
【００５７】
上記実施例では、携帯電話機５の登録者情報によって個人認証を行う構成とし
ていたが、例えば、アプリケーション画面上で個人認証情報を入力する構成とす
ることも可能である。
【００５８】
上記実施例では、スーパーバイザーの勤怠管理と作業管理とを同時に行ってい
たが、例えば、作業管理を省略して勤怠管理のみを行わせることも可能である。
【００５９】
また、携帯端末として携帯電話機５を用いていたが、例えば、ノートパソコン
やＰＤＡ等で構成することも可能である。
【００６０】
上記実施例では、携帯電話機５によって読み取った２次元バーコードに応じて
ＵＲＬが作成され、このＵＲＬの選択、実行によって操作時刻情報をサーバー側
へ送信していたが、例えば、読み取った２次元バーコードに基づく情報をサーバ
ー側へ電子メールによって送信する構成とすることもできる。
【００６１】
上記実施例２では、蓄積手段としてのサーバー７Ａをコード作成手段としても
機能させていたが、コード作成手段をサーバー７Ａとは別に設けることも可能で
ある。
【００６２】
また、上記実施例２では、情報処理端末として携帯電話機２１を用い、インタ
ーネット接続によってサーバー７Ａへアクセスするように構成していたが、例え
ば、情報処理端末をパソコン等とし、サーバー７ＡへのアクセスをＬＡＮ等によ
って行わせるようにすることも可能である。
【図面の簡単な説明】
【００６３】
【図１】作業者管理システムの概念図である（実施例１）。
【図２】作業者管理システムの動作を示すのフローチャートである（実施例１）。
【図３】作業者管理システムの概念図である（実施例２）。
【図４】作業者管理システムの動作を示すフローチャートである（実施例２）。
【符号の説明】
【００６４】
１，１Ａ  作業者管理システム
３  作成用パソコン
５，２１  携帯電話機
７，７Ａ  サーバー
９  ２次元バーコード
１０  表示部
【図１】
2006338295.tif 000003
【図２】
2006338295.tif 000004
【図３】
2006338295.tif 000005
【図４】
2006338295.tif 000006